(57)【要約】【課題】横断測量において行われるＴＳ観測とポール横断による観測の測量データの記録を容易にできて、手作業による野帳の記録を不要とする測量データ記憶装置、測量データ記憶プログラム、及び記録媒体を提供する。【解決手段】測量データ記憶装置１０は、ＴＳ観測点の第１測量データをトータルステーションＴＳから通信で入力する通信ポート２６と、ポール横断測量で得られたポール観測点の第２測量データ及び観測点名称を手操作で入力するタッチパネル２０、キーボード２２を有する。ＣＰＵ１２は、第１測量データ及び第２測量データに対して、タッチパネル２０、キーボード２２の手操作によって入力された観測点名称を付与して関連づけし、関連づけされた観測点名称、及び第２測量データと該第２測量データと関連づけされた観測点名称を、観測順にして、共通の横断測量ファイルにして記憶装置２４（記憶部）に記憶する。【選択図】図１
2017020834.tif 000002
【特許請求の範囲】
【請求項１】
トータルステーションによる横断観測で得られたＴＳ観測点の第１測量データを前記トータルステーションから通信で入力する第１入力部と、
ポール横断測量で得られたポール観測点の第２測量データ及び観測点名称を手操作で入力する第２入力部と、
前記第１測量データを入力した場合は、前記第１測量データに関連する観測結果を表示するとともに、前記第２測量データを入力した場合は、前記第２測量データに関連する観測結果を表示する表示部と、
前記第１測量データ及び前記第２測量データに対して、前記第２入力部の手操作によって入力された観測点名称を付与して関連づけする観測点名称関連付部と、
前記第１測量データと該第１測量データと関連づけされた観測点名称、及び前記第２測量データと該第２測量データと関連づけされた観測点名称を、観測順にして、共通の横断測量ファイルにして記憶する記憶部とを備えた測量データ記憶装置。
【請求項２】
前記第２入力部は、前記表示部に表示された、予め設定された複数の候補名称のうちいずれかを手操作で選択して入力する選択入力部を含み、前記選択入力部により選択入力された候補名称を前記観測点名称とするものである請求項１に記載の測量データ記憶装置。
【請求項３】
予め設定された横断測量の観測条件と、前記第１測量データに基づき、前記ＴＳ観測点の水平距離及び鉛直距離を演算する演算部を備え、
前記記憶部は、前記ＴＳ観測点の観測結果として、前記水平距離及び鉛直距離を前記第１測量データと該第１測量データと関連づけされた観測点名称とともに関連付けして記憶する請求項１または請求項２に記載の測量データ記憶装置。
【請求項４】
前記表示部は、ポール観測が連続で行われる場合、複数のポール観測点のそれぞれの第２測量データが入力される入力領域を備え、
前記第２入力部は、前記入力領域に、前記複数のポール観測点のそれぞれの第２測量データを入力するものである請求項１乃至請求項３のうちいずれか１項に記載の測量データ記憶装置。
【請求項５】
前記横断観測を、トータルステーションからは遠位の観測点から近位の観測点の順に観測を行う逆順観測モード設定部を備え、
前記記憶部は、前記逆順観測モード設定部にて逆順観測モードが設定された場合は、観測順を逆順で、前記第１測量データと該第１測量データと関連づけされた観測点名称、及び前記第２測量データと該第２測量データと関連づけされた観測点名称を記憶する請求項１乃至請求項４のうちいずれか１項に記載の測量データ記憶装置。
【請求項６】
コンピュータを、
トータルステーションによる横断観測で得られたＴＳ観測点の第１測量データを前記トータルステーションから通信で入力する第１入力部と、
ポール横断測量で得られたポール観測点の第２測量データ及び観測点名称を手操作で入力する第２入力部と、
前記第１測量データを入力した場合は、前記第１測量データに関連する観測結果を表示するとともに、前記第２測量データを入力した場合は、前記第２測量データに関連する観測結果を表示する表示部と、
前記第１測量データ及び前記第２測量データに対して、前記第２入力部の手操作によって入力された観測点名称を付与して関連づけする観測点名称関連付部と、
前記第１測量データと該第１測量データと関連づけされた観測点名称、及び前記第２測量データと該第２測量データと関連づけされた観測点名称を、観測順にして、共通の横断測量ファイルにして記憶する記憶部とを備えた測量データ記憶装置として機能させるための測量データ記憶プログラム。
【請求項７】
請求項６に記載の測量データ記憶プログラムを記憶した記憶媒体。
【発明の詳細な説明】
【技術分野】
【０００１】
本発明は、トータルステーション（以下、単にＴＳという）観測とポール横断による観測方法で得られる横断測量の測量データを記録する測量データ記憶装置、測量データ記憶プログラム及び記録媒体に関する。
【背景技術】
【０００２】
従来から路線等の工事では施工計画図が作られ、切土・盛土の土量を考慮しつつ施工計画が立てられる。また、施工計画図を作成するに当り、施工計画の基準とするため、工事該当箇所の現状が測量される。路線工事を行うため、縦断測量及び横断測量が行われる。縦断測量は路線の中心線に沿って行う水準測量であり、横断測量は前記中心線（路線方向）に直交する方向の水準測量である（特許文献１参照）。
【０００３】
従来、縦断測量を行う場合、中心線上に番号を付した杭を打設し、打設された番号杭の杭頭の標高及び地盤の高さを測定する。杭頭高を測定することにより地盤高、傾斜が算出できる。また、横断測量を行う場合、路線と直角方向の直線上に一定間隔で杭を打設し、杭の杭頭の標高を測定することにより、地盤の高さを測定している。このようにして杭頭高を測定することにより地盤高が算出され、その測量結果に基づいて横断の高さを表した横断面図が作成されている。
【先行技術文献】
【特許文献】
【０００４】
【特許文献１】特開平８−３１３２５２号公報
【発明の概要】
【発明が解決しようとする課題】
【０００５】
ところで、上記のように横断測量を行う場合、ＴＳ観測とポール横断による観測を組み合わせて行われる場合がある。この場合、ＴＳ観測の測量データと、ポール横断の測量データとを合わせて記録する必要がある。
【０００６】
従来は、このようにＴＳ観測とポール横断による観測が組み合わせて行われる場合、両測量データをまとめて記録することが行われておらず、同時に従来の野帳でも記録することが同時に行う必要がある。
【０００７】
本発明の目的は、横断測量において行われるＴＳ観測とポール横断による観測の測量データの記録を容易にできて、手作業による野帳の記録を不要とする測量データ記憶装置、測量データ記憶プログラム、及び記録媒体を提供することにある。
【課題を解決するための手段】
【０００８】
上記問題点を解決するために、本発明の測量データ記憶装置は、トータルステーションによる横断観測で得られたＴＳ観測点の第１測量データを前記トータルステーションから通信で入力する第１入力部と、ポール横断測量で得られたポール観測点の第２測量データ及び観測点名称を手操作で入力する第２入力部と、前記第１測量データを入力した場合は、前記第１測量データに関連する観測結果を表示するとともに、前記第２測量データを入力した場合は、前記第２測量データに関連する観測結果を表示する表示部と、前記第１測量データ及び前記第２測量データに対して、前記第２入力部の手操作によって入力された観測点名称を付与して関連づけする観測点名称関連付部と、前記第１測量データと該第１測量データと関連づけされた観測点名称、及び前記第２測量データと該第２測量データと関連づけされた観測点名称を、観測順にして、共通の横断測量ファイルにして記憶する記憶部とを備えるものである。
【０００９】
また、前記第２入力部は、前記表示部に表示された、予め設定された複数の候補名称のうちいずれかを手操作で選択して入力する選択入力部を含み、前記選択入力部により選択入力された候補名称を前記観測点名称としてもよい。
【００１０】
また、予め設定された横断測量の観測条件と、前記第１測量データに基づき、前記ＴＳ観測点の水平距離及び鉛直距離を演算する演算部を備え、前記記憶部は、前記ＴＳ観測点の観測結果として、前記水平距離及び鉛直距離を前記第１測量データと該第１測量データと関連づけされた観測点名称とともに関連付けして記憶するようにしてもよい。
【００１１】
また、前記表示部は、ポール観測が連続で行われる場合、複数のポール観測点のそれぞれの第２測量データが入力される入力領域を備え、前記第２入力部は、前記入力領域に、前記複数のポール観測点のそれぞれの第２測量データを入力するものとしてもよい。
【００１２】
また、前記横断観測を、トータルステーションからは遠位の観測点から近位の観測点の順に観測を行う逆順観測モード設定部を備え、前記記憶部は、前記逆順観測モード設定部にて逆順観測モードが設定された場合は、観測順を逆順で、前記第１測量データと該第１測量データと関連づけされた観測点名称、及び前記第２測量データと該第２測量データと関連づけされた観測点名称を記憶するようにしてもよい。
【００１３】
また、本発明のプログラムは、コンピュータを、トータルステーションによる横断観測で得られたＴＳ観測点の第１測量データを前記トータルステーションから通信で入力する第１入力部と、ポール横断測量で得られたポール観測点の第２測量データ及び観測点名称を手操作で入力する第２入力部と、前記第１測量データを入力した場合は、前記第１測量データに関連する観測結果を表示するとともに、前記第２測量データを入力した場合は、前記第２測量データに関連する観測結果を表示する表示部と、前記第１測量データ及び前記第２測量データに対して、前記第２入力部の手操作によって入力された観測点名称を付与して関連づけする観測点名称関連付部と、前記第１測量データと該第１測量データと関連づけされた観測点名称、及び前記第２測量データと該第２測量データと関連づけされた観測点名称を、観測順にして、共通の横断測量ファイルにして記憶する記憶部とを備えた測量データ記憶装置として機能させるためのものである。
【００１４】
また、本発明の記憶媒体は、前述した測量データ記憶プログラムを記憶したものである。
【発明の効果】
【００１５】
本発明によれば、横断測量において行われるＴＳ観測とポール横断による観測の測量データの記録を容易にできて、手作業による野帳の記録を不要とする効果を奏する。
【図面の簡単な説明】
【００１６】
【図１】一実施形態の測量データ記憶装置の電機ブロック図。
【図２】観測作業の説明図。
【図３】一実施形態の測量データ記憶プログラムのフローチャート。
【図４】（ａ）及び（ｂ）は一実施形態の測量データ記憶プログラムのフローチャート。
【図５】一実施形態の測量データ記憶プログラムのフローチャート。
【図６】一実施形態の測量データ記憶プログラムのフローチャート。
【図７】一実施形態の測量データ記憶プログラムのフローチャート。
【図８】一実施形態の測量データ記憶プログラムのフローチャート。
【図９】一実施形態の表示部において、起動時のメイン画面の説明図。
【図１０】条件入力のポップアップウインドウの説明図。
【図１１】観測方向、及び器械の向きの説明図。
【図１２】ユーザーフォーム選択のポップアップウインドウの説明図。
【図１３】ＴＳ観測時のポップアップウインドウの説明図。
【図１４】ＴＳ観測時のＴＳ名称のポップアップウインドウと名称入力のポップアップウインドウが表示された画面の説明図。
【図１５】ポール名称のポップアップウインドウの説明図。
【図１６】（ａ）〜（ｄ）は逆順観測の説明図。
【図１７】ポール観測のＡタイプの測量データ入力ウインドウの説明図。
【図１８】ポール観測のＢタイプの測量データ入力ウインドウの説明図。
【図１９】連続ポール観測の測量データ入力ウインドウの説明図。
【図２０】横断測量中のメイン画面の説明図。
【図２１】観測履歴ボタンを押下した場合にメイン画面から遷移したときの画面の説明図。
【図２２】測量結果リストの一例の説明図。
【図２３】観測結果リストの二点を選択した場合の、選択二点間の情報を示すポップアップウインドウの説明図。
【図２４】名称入力ウインドウの名称項目の変更するための項目変更ウインドウの説明図。
【図２５】名称項目変更のポップアップウインドウの説明図。
【図２６】（ａ）及び（ｂ）は野帳出力結果の説明図。
【発明を実施するための形態】
【００１７】
以下、本発明を具体化した一実施形態の測量データ記憶装置、測量データ記憶プログラム、及び記憶媒体を図１〜図２６を参照して説明する。
図１に示すように、測量データ記憶装置１０は、コンピュータからなり、ＣＰＵ（中央処理装置）１２、メインメモリ１４、作業用メモリ１６、ディスプレイ１８、ディスプレイ１８の表示画面上に設けられたタッチパネル２０、キーボード２２及び記憶装置２４を有する。本実施形態では、測量データ記憶装置１０は、ノートパソコン等の携帯型コンピュータからなっている。メインメモリ１４は、ＲＯＭからなり、コンピュータのシステムプログラム等の各種プログラムが格納されている。作業用メモリ１６は、書換可能なＲＡＭからなり、システムプログラム、アプリケーションプログラム等の各種プログラムが実行される際の作業用のメモリとして使用される。ディスプレイ１８は、例えば、液晶表示装置からなる。ディスプレイ１８は表示部の一例に相当する。
【００１８】
タッチパネル２０は、ディスプレイ１８の表示画面の全体に亘って設けられており、表示画面で表示された各種ボタン、チェック領域の表示領域をタッチすると、その表示領域に表示されたボタンが操作されたものとしてオン信号がＣＰＵ１２に入力される。キーボード２２は、テンキー、及び文字キー等の各種キーを備えており、そのキー入力に応じた信号がＣＰＵ１２に入力される。タッチパネル２０及びキーボード２２は、第２入力部及び選択入力部の一例に相当する。また、ＣＰＵ１２は、前記タッチパネル２０からのオン信号や、前記キー入力に応じた信号を、起動した各種プログラムで定義されている内容に応じてＣＰＵ１２に接続されている各部を制御可能となっている。ＣＰＵ１２は、観測点名称関連付部及び演算部に相当する。ＣＰＵ１２は、通信ポート２６を備えており、通信ポート２６を介して外部の装置と通信可能である。通信ポート２６は、例えば、無線ＬＡＮ接続、或いは、有線ＬＡＮ接続、或いはＵＳＢ接続等の有線接続で外部装置と通信が可能である。本実施形態では、外部装置は、トータルステーションＴＳと無線接続又は有線接続されて、トータルステーションＴＳと通信が可能となっている。通信ポート２６は、第１入力部に相当する。
【００１９】
また、記憶装置２４は、例えば、ハードディスク、Ｓｏｌｉｄ  Ｓｔａｔｅ  Ｄｒｉｖｅ（ソリッド・ステート・ドライブ）或いは、ＲＡＭディスク、書換可能なＤＶＤ等であって、各種データを書換可能となっている。本実施形態では、記憶装置２４はハードディスクで構成されており、アプリケーションプログラムとしての測量データ記憶プログラムが格納されるとともに、空き領域に、該測量データ記憶プログラムの実行時に横断測量のＴＳ観測及びポール横断の測量データが記憶可能となっている。記憶装置２４は記憶部の一例であり、記憶媒体の一例である。
【００２０】
（実施形態の作用）
次に、本実施形態の測量データ記憶装置１０の作用を説明する。図３〜図７は、測量データ記憶プログラムのフローチャートである。なお、測量データ記憶装置１０は、図２に示すように既知の基準点Ｐ１に設置されたトータルステーションＴＳと通信ポート２６を介して接続されて、通信可能な状態となっている。この状態で、図３に示すように、ＣＰＵ１２は測量データ記憶プログラムを起動する。なお、以下では、各ステップＳ間の移行及び表示画面の変更は、タッチ操作、或いはキーボート等の手入力操作に応じてＣＰＵ１２が行うものであるため、ＣＰＵ１２が実行する旨の説明を省略する場合がある。
【００２１】
（Ｓ１０）
図９に示すようにＳ１０では、ディスプレイ１８にメイン画面３０が表示される。起動時のメイン画面３０は、測点名領域３１、地形表示領域３２、観測結果リスト表示領域３３、距離表示領域３４、残り距離表示領域３４ａ、観測条件ボタン３５、データ操作ボタン３６、観測履歴ボタン３７、及び野帳へ記録ボタン３８を有する。測点名領域３１には、観測中の測点名が表示される。センターシフトしている場合には、そのシフト距離（シフト長）及びシフト方向も表示されるが、起動時は、それらが入力されていないため、図９では表示されていない。なお、地形表示領域３２は、各観測点において、後述するＴＳ観測、ポール横断測量のポール観測（連続ポールを含む）が行われて、取得された観測結果（すなわち、第１測量データ及び第２測量データ）に基づく横断面の地形を表示する領域である。
【００２２】
起動時には、観測条件が入力されていないため、観測者は、観測条件ボタン３５をタッチ操作する。すると、タッチパネル２０が観測条件ボタン３５の操作に応じたオン信号をＣＰＵ１２に入力する。なお、以下では、各種ボタンまたは各種ボタン以外の表示領域がタッチ操作がされてタッチパネル２０からＣＰＵ１２に信号が入力されるまでの説明を単に「タッチ操作」、または「操作」と表記することがある。
【００２３】
（Ｓ１２）
観測条件ボタン３５が操作されると、Ｓ１４に移行する。
（Ｓ１４）
図１０に示すように観測条件入力のポップアップウインドウ４０がディスプレイ１８の表示画面に表示される。ポップアップウインドウ４０は、測点名入力欄４１、観測方向入力欄４２、器械の向き入力欄４３、シフト長入力欄４４、器械高入力欄４５、左距離入力欄４６、右距離入力欄４７、操作へボタン４８、及び設定へボタン４９を有する。
【００２４】
（Ｓ１６）
測点（観測点）名入力欄４１、観測方向入力欄４２、器械の向き入力欄４３、シフト長入力欄４４、器械高入力欄４５、左距離入力欄４６、及び右距離入力欄４７のいずれか１つをタッチ操作してアクティブにすると、タッチ操作された欄に入力が可能となり、Ｓ１８に移行する。
【００２５】
（Ｓ１８）
Ｓ１８では、タッチ操作された入力欄に対して観測者がキーボード２２にてキー入力すると、今回の横断測量のファイル名を測点名にしたファイルを作成するとともに、測点名、観測方向、器械の向き、シフト長、器械高、左距離、右距離を今回の横断測量の観測条件として記憶装置２４に保存される。このファイルは、横断測量ファイルに相当する。シフト長は、トータルステーションＴＳの設置位置の中心からの離れ距離である。前記中心から左にある場合は、「−」を設定する。器械高は、図２に示すトータルステーションＴＳの基準点Ｐ１からの高さである。左距離は、今回の横断測量のトータルステーションＴＳから後述する左側にある測定範囲の端までの距離である。右距離は、今回の横断測量のトータルステーションＴＳから後述する右側にある測定範囲の端までの距離である。
【００２６】
ここで、観測方向及び器械の向きを図１１を参照して説明する。
図１１において、Ｏは路線の中心線上を通過する鉛直線であり、鉛直線Ｏの黒点Ｏｔは、高さ０の位置を示している。また、鉛直線Ｏに平行に並ぶ鉛直線Ｋは、トータルステーションＴＳの設置位置を示している。図１１では、トータルステーションＴＳは、前記中心線から左にずれたことを示している。ａ矢印の領域は鉛直線Ｏから左で、トータルステーションＴＳの位置（器械位置ともいう、鉛直線Ｋ）から見ても左にあるため、「観測方向」、及び「器械の向き」を共に左Ｌを設定入力する。
【００２７】
また、ｂ矢印の領域は、鉛直線Ｏからは左Ｌ、器械位置からは右Ｒにあるため、観測方向は左Ｌ、及び器械の向きは右Ｒを設定入力する。また、ｃ矢印の領域は、鉛直線Ｏからは右Ｒ、器械位置からは右Ｒにあるため、観測方向は右Ｒ、及び器械の向きは右Ｒを設定入力する。なお、トータルステーションＴＳが、鉛直線Ｏよりも右にずれた位置にある場合は、上記と同様の判断基準で、観測方向と器械の向きを設定入力すればよいため、説明を省略する。これらの条件が入力されると、図９のメイン画面３０では、該当する測点名領域３１、及び距離表示領域３４に入力された条件（測点名、左距離、及び右距離）が表示される。
【００２８】
また、残り距離表示領域３４ａの左欄及び右欄には、最も新しく観測された観測点までの水平距離と、観測条件で設定した左距離、及び右距離との差分が、ＣＰＵ１２によりそれぞれ算出されて、その値が表示される。なお、残り距離表示領域３４ａは、観測条件の設定が終了した時点（未だ観測が行われていない場合）には、距離表示領域３４と同じ値が表示される。
【００２９】
（Ｓ２０）
操作へボタン４８がタッチ操作されると、図４に示すＳ４０に移行する。
（Ｓ２２）
設定へボタン４９がタッチ操作されると、Ｓ２４に移行する。
【００３０】
（Ｓ２４）
Ｓ２４では、設定処理が行われる。例えば、通信条件や通信ポートを設定する設定画面が表示されて観測者によりそれらの条件等が設定入力がされ、ＣＰＵ１２は、その設定条件でトータルステーションＴＳと通信制御する。
【００３１】
（Ｓ２６）
図９のメイン画面３０において、データ操作ボタン３６がタッチ操作されると、図４（ａ）に示すＳ２７に移行する。
【００３２】
（Ｓ２７）
図４（ａ）に示すＳ２７では、図１２に示すユーザーフォーム選択のポップアップウインドウ５０がディスプレイ１８の表示画面に表示される。同図に示すように、ポップアップウインドウ５０は、ＴＳ観測ボタン５２、単ポール観測ボタン５３、連続ポール観測ボタン５４、項目変更ボタン５５、閉じるボタン５６等の各種ボタンを有している。
【００３３】
（Ｓ２８）
Ｓ２８で、観測者が、ＴＳ観測ボタン５２、単ポール観測ボタン５３、または連続ポール観測ボタン５４をタッチ操作すると、それぞれＳ２８Ａ（図４（ａ）参照）、Ｓ２８Ｂ（図５参照）、Ｓ２８Ｃ（図６参照）の処理ステップに移行する。また、図１２に示す項目変更ボタン５５、または閉じるボタン５６等のＴＳ観測ボタン５２、単ポール観測ボタン５３、及び連続ポール観測ボタン５４以外のボタンをタッチ操作すると、Ｓ２８Ｄの他の処理が行われる。なお、ユーザーフォーム選択のポップアップウインドウ５０は、閉じるボタン５６が操作されるまでは、例えば、後述するＴＳ観測磁、ポール観測時、及び連続ポール観測時のいずれの場合においても表示が保持される。そして、閉じるボタン５６がタッチ操作されると、Ｓ２８Ｄの他の処理においてポップアップウインドウ５０が閉じられる。
【００３４】
［１．ＴＳ観測について］
（Ｓ２８Ａ）
Ｓ２８Ａに移行すると、ここではＴＳ観測が行われる。図４（ｂ）のＳ４０〜Ｓ６４はＳ２８Ａにおける具体的処理のフローチャートである。ＴＳ観測が行われる観測点はＴＳ観測点に相当する。
【００３５】
（Ｓ４０）
Ｓ４０では、図１３に示すＴＳ観測のポップアップウインドウ６０が表示される。ポップアップウインドウ６０は、器械の向き入力欄６１、目標高入力欄６２、特殊観測である逆順観測モード設定チェック欄６３、ＴＳ観測結果の今回値となる水平距離欄６４ａ、離れ欄６４ｂ、残り距離欄６４ｃと、前回値となる水平距離欄６５ａ、離れ欄６５ｂ、残り距離欄６５ｃを有する。また、ポップアップウインドウ６０は、ＴＳ観測値入力ボタン６６及び決定ボタン６７を有する。ここで、器械の向き入力欄６１は、今回の観測点におけるＴＳ観測では、予め設定した観測条件の器械向きとは器械向きが異なる場合に用意されている欄である。観測条件と同じ場合には、この欄に設定された器械の向きが表示される。目標高入力欄６２には、観測点Ｐｆに配置されるミラーＭＬの目標高ｈｆ（図２参照）が観測者により入力される。逆順観測モード設定チェック欄６３は、横断測量を逆順観測で行う場合にチェックが入れられる。器械の向き入力欄６１、目標高入力欄６２、または逆順観測モード設定チェック欄６３に数値、チェック等が入力されると、Ｓ４４に移行する。なお、器械の向き入力欄６１が入力される場合とは、観測点ＰｆにおけるＴＳ観測において、観測条件と異なる場合、この欄に新たに器械の向きが観測者により入力される場合である。逆順観測については、後述する。逆順観測モード設定チェック欄６３は、逆順観測モード設定部に相当する。
【００３６】
（Ｓ４４）
ＣＰＵ１２は、器械の向き入力欄６１に新たに器械の向きが入力されると、今回のＴＳ観測における観測点の観測向きを当該観測点と関連づけする。また、ＣＰＵ１２は、目標高入力欄６２に目標高ｈｆが入力されると、目標高ｈｆと当該今回のＴＳ観測における観測点と関連づけする。また、ＣＰＵ１２は、逆順観測モード設定チェック欄６３にチェックの入力がされると、これから行われる複数の観測点の第１測量データを、逆順で記憶するモードに移行する。
【００３７】
［２．逆順観測について］
逆順観測を図１６（ａ）〜（ｄ）を参照して説明する。
通常の観測順は、トータルステーションＴＳに近位の観測点から遠位の観測点の順に行う観測である。逆順観測は、トータルステーションＴＳから遠位の観測点から近位の観測点へ順に行う観測順である。従って、逆順観測は、通常の観測順とは逆の順で観測を行っていくものである。特に山地部において、横断観測を行う場合、ミラーＭＬの昇降を繰り返し行うことになるが、通常の観測と、逆順観測を交互に行うと、通常の観測順だけで繰り返し横断観測を行う場合に比して、効率良く横断観測ができる利点がある。
【００３８】
図１６（ａ）、図１６（ｂ）、図１６（ｄ）は、逆順観測モードが設定された場合に、地形表示領域３２（図９参照）に表示される例を示している。逆順観測では、観測点Ｋａ，Ｋｂ，Ｋｃの順で行われる。観測点Ｋａと観測点ＫｂがＴＳ観測により行われ、観測点Ｋｃがポール観測により行われたものとする。なお、地形上の高さは、観測点Ｋａ＞観測点Ｋｂとする。鉛直線ＫはトータルステーションＴＳの位置を示し、鉛直線Ｏは路線の中心線上を通過する鉛直線である。なお、黒点Ｏｔは説明の便宜上、省略して図示されている。ＣＰＵ１２は、高所の観測点Ｋａの第１測量データを取得すると、第１測量データに基づいて地形表示領域３２では、図１６（ａ）に示すように表示する。次に、ＣＰＵ１２は、低所の観測点Ｋｂの第１測量データを取得すると、図１６（ｂ）に示すように表示する。なお、仮に、逆順観測モードが設定されていない場合、ＣＰＵ１２は、通常のモードであるため、高所の観測点Ｋａ及び低所の観測点Ｋｂのそれぞれの第１測量データに基づいて、地形表示領域３２には、図１６（ｃ）に示すように表示する。また、続く観測点Ｋｃでポール観測が行われて、ＣＰＵ１２は、第２測量データを取得すると、地形表示領域３２には、図１６（ｄ）に示すように表示する。
【００３９】
（Ｓ４６）
Ｓ４６では、ＣＰＵ１２は図１３に示すＴＳ観測値入力ボタン６６がタッチ操作された否かを判定する。そして、ＴＳ観測値入力ボタン６６がタッチ操作されると、ＴＳ観測値入力ボタン６６は、トータルステーションＴＳにデータ送信を要求するための指令を送付する。
【００４０】
（Ｓ４８）
Ｓ４８では、ＣＰＵ１２は、トータルステーションＴＳから、観測点Ｐｆに設置したミラーＭＬを視準しているときの水平角αｆ、鉛直角θｆ及び斜距離Ｌｆを入力する。図２に示すように水平角αｆは、基準点Ｐ１に設置されたトータルステーションＴＳが既知の基準点Ｐ２を視準したときの水平角度を０（基準）にして、そこからトータルステーションＴＳを水平に回転して観測点ＰｆのミラーＭＬを視準したときの水平角度である。なお、基準点Ｐ２に設置したミラーＭＬの目標高ｈ２は、予め測量データ記憶装置１０に入力されている。また、鉛直角θｆは、トータルステーションＴＳを通る水平面から観測点ＰｆのミラーＭＬに対する鉛直方向の角度である。斜距離Ｌｆは、トータルステーションＴＳと観測点ＰｆのミラーＭＬまでの距離である。前記水平角αｆ、鉛直角θｆ及び斜距離Ｌｆは第１測量データに相当する。ＣＰＵ１２は入力した第１測量データと、目標高ｈｆと、器械高ｈ１等に基づいて、トータルステーションＴＳから観測点Ｐｆまでの水平距離を算出した後、その算出値を、図１３に示す今回の水平距離欄６４ａに表示する。また、ＣＰＵ１２は、第１測量データ（観測結果）に基づいて前記観測点Ｐｆに設置したミラーＭＬが横断方向から離れた距離を、算出して今回の離れ欄６４ｂに表示する。なお、横断方向は、路線の中心線と鉛直方向の両方向に直交する方向である。この横断方向からの離間距離が離間しすぎている場合には、観測者は、作業者に対してミラーＭＬの設置箇所のやり直しが求めることができることになる。また、ＣＰＵ１２は、観測点ＰｆがトータルステーションＴＳから左側か右側かに応じて、設定入力した左距離（または右距離）と前記水平距離の差分値を算出して、その差分値を今回の残り距離欄６５ｃに表示する。なお、ミラーＭＬの設置箇所のやり直しがあり、ＴＳ観測値入力ボタン６６がタッチ操作されて、次の第１測量データが入力されて新しい値に今回の水平距離欄６４ａ、離れ欄６４ｂ、残り距離欄６４ｃが更新された際、それまで同欄にあった値は、それぞれ前回値の水平距離欄６５ａ、離れ欄６５ｂ、残り距離欄６５ｃに移動して表示される。
【００４１】
（Ｓ５０）
Ｓ５０では、ＣＰＵ１２は、決定ボタン６７がタッチ操作された否かを判定し、決定ボタン６７がタッチ操作されると、Ｓ５２に移行する。
【００４２】
（Ｓ５２）
Ｓ５２では、ＣＰＵ１２は、ディスプレイ１８の表示画面１８ａに図１４に示すＴＳ名称のポップアップウインドウ７０を表示する。ポップアップウインドウ７０について説明すると、名称欄７１には、名称入力欄７２、７３、７４に入力された名前がこの順序で結合して表示される。図１４では、未だ名称入力欄７２、７３、７４に名称が入力されていないため、名称は表示されていない状態となっている。名称入力欄７２は、観測点における構造物の変わり目（すなわち、境界）に使う入力欄であって、その変わり目において、終わる構造部がある場合にその名称が入力されるものである。名称入力欄７３は、観測点における構造物の変わり目に使う入力欄であって、その変わり目において、始まる構造部がある場合にその名称が入力されるものである。名称入力欄７４は、観測点における構造物の変わり目に使う入力欄であって、その変わり目の、始まる構造物であって、かつ高さがある構造物がある場合にその名称が入力されるものである。前記名称は、観測点名称に相当する。
【００４３】
観測点名称は、観測点がどのような観測点であるかを示す特徴的な名称である。例えば、観測点が、コンクリートであった場合には、「コンクリート」、アスファルトであった場合には、「アスファルト」である。他の例としては、ブロック、黄線、白線、フタ有り、板棚、岩、崩土、家、屋根、フェンス等が挙げられる。また、観測点が、特徴的な領域の境界である場合には、その両領域の名称の間に境界を示す例えば「／」が入力可能となっている。なお、境界を示す記号は「／」に限定するものではなく、他の記号であってもよい。また、測量者が任意の名称を観測点名称として、定義することも可能である。なお、任意の名称には、略称も含む。
【００４４】
一対の高さ入力欄７５は、名称入力欄７２、または名称入力欄７４にタッチパネル２０のタッチ操作またはキーボード２２により選択してそれぞれ入力された構造物に高さがある場合に、タッチしてアクティブにした状態でその高さが入力される。観測情報表示欄７６は、図１３のＴＳ観測時のポップアップウインドウ６０で入力または取得した器械の向き、水平距離（今回）、鉛直距離（今回）、目標高が表示される。なお、前記鉛直距離は前記水平距離（今回）とともに、ＣＰＵ１２にて算出されるが、本実施形態では、図１３に示すポップアップウインドウ６０では表示されないものとなっている。また、ポップアップウインドウ７０には、決定ボタン７７と戻るボタン７８を有する。
【００４５】
（Ｓ５４）
Ｓ５４は、名称入力欄７２、７３、７４に入力があるか否かをＣＰＵ１２は判定する。ここで、名称入力欄７２、７３、７４の入力欄をタッチ操作してアクティブにすると、Ｓ５６に移行する。
【００４６】
（Ｓ５６）
Ｓ５６では、ＣＰＵ１２は、図１４に示すように名称入力のポップアップウインドウ８０をディスプレイ１８の表示画面１８ａに表示する。ポップアップウインドウ８０には、各種の構造物の名称入力用の名称ボタン８２が表示されている。この名称ボタン８２で入力される各種の構造物の名称が候補名称に相当する。作業者は、前記アクティブにした名称入力欄７２、７３、７４に対して、いずれかの名称ボタン８２を選択してタッチ入力すると、当該名称入力欄７２、７３、７４に選択した名称ボタンの名称が表示される。なお、名称の入力間違いがあった場合は、入力間違いがある当該名称入力欄７２、７３、７４をアクティブにした状態で、ポップアップウインドウ８０に設けられたクリアボタン８３をタッチ入力することにより、当該名称入力欄７２、７３、７４に表示された名称が取り消される。また、名称入力欄７２、７３、７４に入力した名称を確定した場合は、ポップアップウインドウ８０に設けられた戻るボタン８４をタッチすることにより、ポップアップウインドウ８０の表示が消される。
【００４７】
（Ｓ５８）
図１４に示すＴＳ名称のポップアップウインドウ７０で決定ボタン７７がタッチされると、Ｓ５８の判定をＹＥＳにして、Ｓ６０に移行する。
【００４８】
（Ｓ６０）
Ｓ６０では、ＣＰＵ１２は、名称入力欄７２、７３、７４に入力した名称を、ポップアップウインドウ６０で、ＴＳ観測値入力ボタン６６がタッチされたときにおける観測点の観測結果と関連づけして、今回の横断測量のファイルに格納する。
【００４９】
（Ｓ６２）
図１４に示すＴＳ名称のポップアップウインドウ７０で戻るボタン７８がタッチされると、Ｓ６２の判定をＹＥＳにして、Ｓ６４に移行する。
【００５０】
（Ｓ６４）
Ｓ６４では、図１４に示すＴＳ名称のポップアップウインドウ７０の表示画面を閉じて、図４（ａ）に示すＳ２７に戻る。
【００５１】
［３．ポール観測：単ポール観測について］
（Ｓ２８Ｂ）
図１２に示す単ポール観測ボタン５３がタッチ操作されてＳ２８Ｂに移行すると、ここではポール観測が行われる。なお、ポール観測は、本実施形態では、後述する単ポールＡ、単ポールＢ及び連続ポールを含む。ポール観測で行われる観測点は、ポール観測点に相当する。図５のＳ７０〜Ｓ９０はＳ２８Ａにおける具体的処理のフローチャートである。
【００５２】
（Ｓ７０）
Ｓ７０では、図１７に示す単ポール観測のポップアップウインドウ９０が表示される。ポップアップウインドウ９０は、距離入力欄９１、高さ入力欄９２、イメージ化領域９３、Ａ入力タイプボタン９４、Ｂ入力タイプボタン９５、−ボタン９６、及び決定ボタン９７を有する。ここで、Ａ入力タイプボタン９４、またはＢ入力タイプボタン９５をタッチ入力してアクティブにすると、Ｓ７２に移行する。
【００５３】
（Ｓ７２）
Ｓ７２において、図１７に示す、Ａ入力タイプボタン９４がアクティブ（図では点で示される領域で示されている）となった場合、単ポールＡの入力画面となる。図１７に示す入力画面では、距離入力欄９１及び高さ入力欄９２にポール観測に関する数値がそれぞれ入力される。また、距離入力欄９１、高さ入力欄９２に入力した値が−値である場合には、−ボタン９６がタッチ入力されて、その値に−の付与、或いは逆に−の除去が可能となっている。イメージ化領域９３では、距離入力欄９１、高さ入力欄９２で入力した数値に基づいてＣＰＵ１２がポールをイメージ化して表示する。また、Ｂ入力タイプボタン９５をタッチ入力してアクティブにした場合も、Ｓ７０からＳ７２に移行する。すると、図１７に示す入力画面から図１８に示すＢ入力タイプボタン９５がアクティブとなった単ポールＢの入力画面１００に変更される。このように、本実施形態では、Ａ入力タイプと、Ｂ入力タイプのいずれかで、単ポール観測の観測結果の入力が可能となっている。入力画面１００は、距離入力欄１０１、高さ入力欄１０２、レベル入力欄１０３、同所の上がりまたは下がり数値入力欄１０４、Ａ入力タイプボタン１０６、Ｂ入力タイプボタン１０７、−ボタン１０８、及び決定ボタン１０９を有する。距離入力欄１０１、高さ入力欄１０２及び−ボタン１０８は、前記距離入力欄９１、高さ入力欄９２及び−ボタン９６と同様である。
【００５４】
また、距離入力欄１０１、及び高さ入力欄１０２に数値を入力する代りに、レベル入力欄１０３、及び、上がりまたは下がり数値入力欄１０４にポール観測の数値の入力が可能となっている。また、その値が−値である場合には、−ボタン１０３がタッチ入力されて、その値を負の値として入力される。レベル入力欄１０３に数値が入力されると、入力されたレベルの値に基づいてＣＰＵ１２により距離が算出（反映）されて、距離入力欄１０１に反映された数値が表示される。また、同時に、高さ入力欄１０２は０.００に設定される。上がりまたは下がり数値入力欄１０４に数値が入力されると、入力された数値に基づいてＣＰＵ１２により高さ入力欄１０２に反映された数値が表示される。また、同時に、ＣＰＵ１２により距離入力欄１０１は０.００に設定される。また、レベル入力欄１０３、及び、上がりまたは下がり数値入力欄１０４に数値が入力または設定されると、ＣＰＵ１２は、設定または入力された値に基づいてイメージ化領域１０５で、ポールをイメージ化して表示する。
【００５５】
（Ｓ７４）
Ｓ７４で、図１７に示す決定ボタン９７または、図１８に示す決定ボタン１０９がタッチ操作されると、Ｓ７６に移行する。
【００５６】
（Ｓ７６）
Ｓ７６では、ポップアップウインドウ９０又は入力画面１００において、入力（また設定）されたポール観測のポール観測に関する第２測量データ（距離、高さ）を保持して、Ｓ７８に移行する。
【００５７】
（Ｓ７８）
Ｓ７８では、ＣＰＵ１２は、ディスプレイ１８の表示画面１８ａに図１５に示すポール名称のポップアップウインドウ１１０を表示する。
【００５８】
ポップアップウインドウ１１０は、図１５に示すように名称欄１１１には、名称入力欄１１２、１１３、１１４に入力された名前がこの順序で結合して表示される。図１５では、未だ名称入力欄１１２、１１３、１１４に名称が入力されていないため、名称は表示されていない状態となっている。名称入力欄１１２、１１３、１１４、一対の高さ入力欄１１５、決定ボタン１１７及び戻るボタン１１８は、それぞれ図１４で説明した名称入力欄７２、７３、７４、一対の高さ入力欄７５、決定ボタン７７及び戻るボタン７８と同様であるため、説明を省略する。観測情報表示欄１１６は、図１７、図１８で入力または設定した距離、高さ、並びに、図１３で説明した器械の向き入力欄６１で表示された（或いは変更した）器械の向きが表示される。
【００５９】
（Ｓ８０）
Ｓ８０は、名称入力欄１１２、１１３、１１４に入力があるか否かをＣＰＵ１２は判定する。ここで、名称入力欄１１２、１１３、１１４の入力欄をタッチ操作してアクティブにすると、Ｓ８２に移行する。
【００６０】
（Ｓ８２）
Ｓ８２では、ＣＰＵ１２は、図１４に示す名称入力のポップアップウインドウ８０をディスプレイ１８の表示画面１８ａに表示する。なお、Ｓ８２では、図１４のポップアップウインドウ７０の代りに、図１５のポップアップウインドウ１１０が表示されているものと理解されたい。作業者は、前記アクティブにした名称入力欄１１２、１１３、１１４に対して、いずれかの名称ボタン８２を選択してタッチ入力すると、当該名称入力欄１１２、１１３、１１４に選択した名称ボタンの名称が表示される。なお、名称の入力間違いがあった場合の説明は、前述したＳ５６の操作と同様であるため説明を省略する。名称入力欄１１２、１１３、１１４に入力した名称を確定した場合、ポップアップウインドウ８０に設けられた戻るボタン８４をタッチすることにより、ポップアップウインドウ８０の表示が消される。
【００６１】
（Ｓ８４）
図１５に示すポール名称のポップアップウインドウ１１０で決定ボタン１１７がタッチ操作されると、Ｓ８４の判定をＹＥＳにして、Ｓ８６に移行する。
【００６２】
（Ｓ８６）
Ｓ８６では、ＣＰＵ１２は、名称入力欄１１２、１１３、１１４に入力した名称を、ポップアップウインドウ９０または入力画面１００で、決定ボタン９７、１０９がタッチされたときにおけるポールの観測結果と関連づけして、今回の横断測量のファイルに格納する。
【００６３】
（Ｓ８８）
図１５に示すポール名称のポップアップウインドウ１１０で戻るボタン１１８がタッチされると、Ｓ８８の判定をＹＥＳにして、Ｓ９０に移行する。
【００６４】
（Ｓ９０）
Ｓ９０では、図１５に示すポール名称のポップアップウインドウ１１０の表示画面を閉じて、図４（ａ）に示すＳ２７に戻る。
【００６５】
［４．ポール観測：連続ポール観測について］
（Ｓ２８Ｃ）
図１２に示す連続ポール観測ボタン５４がタッチ操作されてＳ２８Ｃ（図４（ａ）参照）に移行すると、ここでは連続ポール観測が行われる。図６のＳ１００〜Ｓ１１２はＳ２８Ｃにおける具体的処理のフローチャートである。
【００６６】
（Ｓ１００）
Ｓ１００では、図１９に示す連続ポール観測のポップアップウインドウ１２０が表示される。ポップアップウインドウ１２０は、枠数選択欄１２１、複数のグラフイメージ領域１２２、及び器械の向き欄１２３、列状に配置された複数の名称入力欄１２４を有する。複数の名称入力欄１２４は、複数のポール観測点のそれぞれの第２測量データが入力される入力領域に相当する。また、ポップアップウインドウ１２０は、各名称入力欄１２４に相対して配置された複数の距離入力欄１２５、及び高さ入力欄１２６、並びに決定ボタン１２７を有する。器械の向き欄１２３には、ＣＰＵ１２により既に設定されている現在の器械の向きが表示される。
【００６７】
（Ｓ１０２）
Ｓ１０２では、観測者は、ポップアップウインドウ１２０が表示されると、枠数選択欄１２１をタッチ操作して、連続ポール観測を行う際のポールを建てる数を選択入力する。枠数選択欄１２１で枠数が選択されると、ＣＰＵ１２により、選択された枠数に適合するポールを立てたイメージがグラフイメージ領域１２２に表示される。なお、本実施形態では、枠数選択欄１２１は３〜８まで選択できるようにされているが、この範囲に限定されるものではなく、枠数は２以上の数値であればよい。
【００６８】
グラフイメージ領域１２２に表示された、いくつかのグラフイメージから、観測者は、今回の連続ポールにあったものを１つ選択すると、ＣＰＵ１２により選択されたグラフイメージに対応する距離や高さが、距離入力欄１２５、高さ入力欄１２６に表示される。すなわち、枠数毎にポールを立てたグラフイメージと、このグラフイメージ毎に、そのグラフイメージを構成する各ポールに関する距離、及び高さが関連づけられて予め記憶装置２４に格納されており、グラフイメージが選択されると、ＣＰＵ１２は、記憶装置２４からそのグラフイメージに前述の距離等を読み出して表示する。図１９の例では、「３」の枠数及び左上のグラフイメージ領域１２２が選択されており、同グラフイメージ領域１２２がアクティブ化された状態が示されている。そして、上から３つ迄の距離入力欄１２５、及び高さ入力欄１２６には、読み出された各ポールに関する距離及び高さが表示されている。
【００６９】
なお、ここで、表示されている距離及び高さは、標準的な数値で設定されているため、この数値の変更がある場合には、それらの数値の代りにキーボード２２により他の数値の入力を観測者が行う。
【００７０】
（Ｓ１０４）
名称入力欄１２４のいずれかがタッチ操作されて、アクティブ化されると、Ｓ１０６に移行する。
【００７１】
（Ｓ１０６、Ｓ１０８、Ｓ１１０）
Ｓ１０６では、ＣＰＵ１２は、ディスプレイ１８の表示画面１８ａに図１５に示すポール名称のポップアップウインドウ１１０を表示する。
【００７２】
Ｓ１０６、Ｓ１０８、及びＳ１１０における観測者の操作及びＣＰＵ１２が行う処理は、図５のＳ７８、Ｓ８０及びＳ８２の内容と同じのため説明を省略する。
（Ｓ１１０）
Ｓ１１０の処理の後は、Ｓ１０８にリターンする。
【００７３】
（Ｓ１１２）
Ｓ１０４またはＳ１１２において、決定ボタン１２７がタッチ操作されると、Ｓ１１４に移行する。
【００７４】
（Ｓ１１４）
Ｓ１１４では、ＣＰＵ１２は、名称入力欄１１２、１１３、１１４に入力した名称を、その名称入力欄に対応した距離入力欄１２５、及び高さ入力欄１２６に入力または設定された値、すなわち、連続ポールの観測結果と関連づけして、今回の横断測量のファイルに格納する。
【００７５】
また、ＣＰＵ１２は、図１５に示すポール名称のポップアップウインドウ１１０の表示画面を閉じて、図４（ａ）に示すＳ２７に戻る。
［５．その他（項目ボタン操作）について］
図４（ａ）のＳ２８において、図１２に示すユーザーフォーム選択のポップアップウインドウ５０の項目変更ボタン５５が操作されるとＳ２８Ｄに移行する。図７は、Ｓ２８Ｄにおける他の処理の１つである項目変更ボタン５５がタッチ操作された場合におけるフローチャートのＳ１３０〜Ｓ１３６を示している。
【００７６】
（Ｓ１３０）
Ｓ１３０に移行すると、図２４に示す項目変更のポップアップウインドウ１３０が表示される。ポップアップウインドウ１３０は、図１４に示す名称入力のポップアップウインドウ８０と同じ複数の名称ボタン８２が配置された領域１３１と、入れ替え候補である名称ボタン１３２がそれぞれ複数個配置された領域１３３を有する。また、ポップアップウインドウ１３０は、名称入れ替えボタン１３６及び閉じるボタン１３８を有する。
【００７７】
（Ｓ１３２）
Ｓ１３２では、名称入れ替えボタン１３６がタッチ操作されると、ＣＰＵ１２により、図２５の名称項目変更画面のポップアップウインドウ１４０が表示される。
【００７８】
ポップアップウインドウ１４０が表示された後、ポップアップウインドウ１３０の領域１３１と領域１３３の入れ替えたいボタンとをそれぞれ１つ選択することで、ポップアップウインドウ１４０の名称欄１４１には領域１３３で選択されたボタンの名称が表示される。また、ポップアップウインドウ１４０において、コード番号欄１４２には、名称欄１４１に表示された名称の識別コードが表示される。
【００７９】
この後、ポップアップウインドウ１４０の決定ボタン１４３がタッチ操作されると、領域１３１において選択された名称ボタン８２の名称が、ポップアップウインドウ８０の表示画面を構成するためのデータとして更新される。また、新たにポップアップウインドウ８０（図１４参照）が表示される場合、更新された名称ボタン８２を含めた名称ボタンが表示されることになる。
【００８０】
また、ポップアップウインドウ１４０のキャンセルボタン１４４がタッチ操作されると、ポップアップウインドウ１４０の表示が消される。
（Ｓ１３４）
Ｓ１３４では、閉じるボタン１３８がタッチ操作されると、Ｓ１３６に移行する。
【００８１】
（Ｓ１３６）
Ｓ１３６では、ＣＰＵ１２によりポップアップウインドウ１３０の表示が消される。
［６．観測履歴について］
図３のフローチャートに戻って観測履歴について説明する。図２０は複数の観測点の観測が終了して、第１測量データ及び第２測量データが蓄積された状態で表示されているメイン画面３０である。
【００８２】
メイン画面３０には、観測結果リスト表示領域３３には、ＴＳ観測及びポール観測により取得した第１測量データ、第２測量データに基づく測量結果リスト３３Ａが表示され、地形表示領域３２には前記測量データに基づいて得られた横断図形が表示されている。
【００８３】
Ｓ２９において、図２０に示す観測履歴ボタン３７がタッチ操作されると、図８に示す、観測履歴のフローチャートに移行する。
ここで、測量結果リスト３３Ａについて説明する。なお、観測結果リスト表示領域３３は、面積が狭いため、図２０では測量結果リスト３３Ａの一部しか表示されていないが、ウインドウに設けられているスクロールボタンを操作することにより、全体を見ることが可能となっている。
【００８４】
図２２は測量結果リスト３３Ａの一例が示されている。図２２に示すように縦方向は観測点が並び測順に並び、横方向は項目が並ぶように配置されている。
項目としては、二点間計測表示ボタン１５１、更新ボタン１５２、地点名称欄１５３、観測方向１５４、水平距離欄１５５、鉛直距離欄１５６、目標高欄１５７、ｄＤ欄１５８、ｄＨ欄１５９、及び観測角欄１６０が設けられている。
【００８５】
なお、二点間計測表示ボタン１５１が２点選択されると、２点間の距離及び斜度がＣＰＵ１２により演算されて、図２３に示すように、選択２点間情報ウインドウ１７０が表示される。選択２点間情報ウインドウ１７０は、２点間の水平距離１７１、２点間の垂直距離１７２、斜距離１７３、及び斜度１７４がＣＰＵ１２により演算されて、表示される。また、選択２点間情報ウインドウ１７０にはＯＫボタン１７５を有しており、ＯＫボタン１７５がタッチ操作さると、選択２点間情報ウインドウ１７０の表示が消える。
【００８６】
また、更新ボタン１５２がタッチ操作されると、変更した観測結果が表示されるようにされている。地点名称欄１５３には、ＴＳ観測の場合は、図１４の名称入力欄７２、７３、７４で入力された名称、ポール観測の場合は、図１５の名称入力欄１１２、１１３、１１４、及び図１９の名称入力欄１２４で、入力された名称が表示される。
【００８７】
観測方向１５４には、その観測点における機器の向きが表示される。水平距離欄１５５には、ＴＳ観測が行われた観測点の第１測量データに基づいて算出された水平距離が表示される。鉛直距離欄１５６には、ＴＳ観測が行われた観測点の第１測量データに基づいて算出された鉛直距離が表示される。目標高欄１５７には、ＴＳ観測が行われた観測点において設定された目標高が表示される。ｄＤ欄１５８には、ポール観測が行われた観測点におけるポールの水平距離が表示される。ｄＨ欄１５９には、ポール観測が行われた観測点におけるポールの高さが表示される。観測角欄１６０には、観測方向がＬならば、０が、Ｒならば１８０が表示される。
【００８８】
（Ｓ１４０）
Ｓ１４０では、ＣＰＵ１２により図２０のメイン画面３０が、図２１に示す観測履歴画面３０Ａに変更して表示される。なお、説明の便宜上、図２１と同一または相当する構成について同一符号を付して、その説明を省略する。図２１に示すように、観測履歴画面３０Ａは、測点名領域３１、地形表示領域３２、観測結果リスト表示領域３３、ファイル名欄１４５、測点名欄１４６、出力列順変更ボタン１４７、及びエクセル出力ボタン１４８を有する。
【００８９】
ファイル名欄１４５にＣＰＵ１２により表示されるファイル名は、今回の横断測量で取得した第１測量データ及び第２測量データ等を格納したファイルの名である。測点名欄１４６は、今回の横断測量において図１０の観測条件入力のポップアップウインドウ４０の測点名入力欄４１に入力した測点名が表示される。
【００９０】
（Ｓ１４２）
Ｓ１４２で、出力列順変更ボタン１４７がタッチ操作されると、後述するエクセルで出力される項目順を変更したい場合に図示しない出力列順変更ウインドウが表示される。
【００９１】
（Ｓ１４４）
Ｓ１４４では前記出力列順変更ウインドウの各種操作ボタンを操作することにより、エクセルの出力列順、すなわち項目順を変更したものに設定される。この処理が終了すると、図３のＳ１２にリターンする。
【００９２】
（Ｓ１４６）
Ｓ１４６ではエクセル出力ボタン１４８がタッチ操作されるとＳ１４８に移行する。
（Ｓ１４８）
Ｓ１４８ではＣＰＵ１２により測量結果リスト３３Ａがソフトのエクセルへ出力処理されて、Ｓ１４２へリターンする。
【００９３】
［７．野帳への出力について］
次に、図３のフローチャートに戻って、野帳への出力について説明する。図３のＳ３０において、図２０のメイン画面で示されている、野帳へ記録ボタン３８がタッチ操作されると、Ｓ３２に移行する。この野帳は、電子野帳である。
【００９４】
（Ｓ３２）
Ｓ３２では、ＴＳ観測及びポール観測で取得した第１測量データ、第２測量データ、並びに、これらの測量データに基づいて演算して得られたデータをファイルにして、記憶装置２４に格納し、Ｓ１２にリターンする。
【００９５】
図２６（ａ）、図２６（ｂ）は、電子野帳を測量データ記憶装置１０に接続した図示しないプリンタ、或いはディスプレイ１８にリスト１８０として出力した一例である。なお、便宜上、図２６（ａ）及び図２６（ｂ）は、リストを２つに分けて示しているが、図２６（ａ）のリストの右端に、図２６（ｂ）のリストの左端が連結されているものと理解されたい。
【００９６】
図２６（ａ）のリスト１８０は、縦が観測順に並べた観測点であり、横が項目である。観測モード欄１８１は、ＴＳ観測の場合はトランシットと出力され、ポール観測の場合はポールと出力される。視準モード欄１８２は、固定値であり、「前視」と出力される。後視データ欄１８３は、出力されないため、空欄にして出力される。前視モード欄１８４は、杭かどうかを地点名称から、ＣＰＵ１２が判別して、判別結果が出力される欄である。具体的には、地点名称に「（Ｔ」または、「ＴＰ」が含まれる場合には、「前視・杭」が出力され、それ以外の場合は、「前視」が出力される。測点名称欄１８５には、地点名称が出力される。水平角欄１８６には、水平角αｆが出力される。水平距離欄１８７及び垂直距離欄１８８には、図２２で説明した水平距離欄１５５、鉛直距離欄１５６の値と同様の第１測量データに基づいて算出した値が出力される。目標高欄１８９、ｄＤ欄１９０、ｄＨ欄１９１には、図２２で説明した目標高欄１５７、ｄＤ欄１５８、ｄＨ欄１５９と同様の値が出力される。コード番号欄１９２には、測点名称欄１８５の名所のコード番号が出力される。また、観測時間欄１９３、観測水平角欄１９４、観測鉛直角欄１９５、観測斜距離欄１９６、及び観測角欄１９７は、ＴＳ観測した場合に、トータルステーションＴＳから入力された観測時間（観測時刻）、観測水平角、観測鉛直角、観測斜距離、及び観測角が出力される。
【００９７】
本実施形態では、下記の特徴を有する。
（１）本実施形態の測量データ記憶装置１０は、ＴＳ観測点の第１測量データをトータルステーションＴＳから通信で入力する通信ポート２６（第１入力部）と、ポール横断測量で得られたポール観測点の第２測量データ及び観測点名称を手操作で入力するタッチパネル２０、キーボード２２（第２入力部）を有する。測量データ記憶装置１０は、第１測量データを入力した場合は、第１測量データに関連する観測結果を表示するとともに、第２測量データを入力した場合は、第２測量データに関連する観測結果を表示するディスプレイ１８（表示部）を有する。測量データ記憶装置１０は、第１測量データ及び第２測量データに対して、タッチパネル２０、キーボード２２（第２入力部）の手操作によって入力された観測点名称を付与して関連づけするＣＰＵ１２（観測点名称関連付部）を備える。また、測量データ記憶装置１０は第１測量データと該第１測量データと関連づけされた観測点名称、及び第２測量データと該第２測量データと関連づけされた観測点名称を、観測順にして、共通の横断測量ファイルにして記憶する記憶装置２４（記憶部）とを備える。また、本実施形態の測量データ記憶プログラムは、コンピュータを、上記各部として機能させる。また、測量データ記憶プログラムを記憶した記憶装置２４は、記憶媒体として前記プログラムを記憶する。
【００９８】
この結果、横断測量において行われるＴＳ観測とポール横断による観測の測量データの記録を容易にできて、手作業による野帳の記録を不要とする効果を奏する。
（２）本実施形態のタッチパネル２０、キーボード２２（第２入力部）は、ディスプレイ１８に表示された、予め設定された複数の候補名称のうちいずれかを手操作で選択して入力する選択入力部となっている。そして、タッチパネル２０、キーボード２２（選択入力部）により選択入力された候補名称を前記観測点名称とする。この結果、本実施形態によれば、タッチパネル２０、キーボード２２（選択入力部）により選択された候補名称を選択すれば、簡単に観測点名称とすることができる効果を奏する。
【００９９】
（３）本実施形態の測量データ記憶装置１０では、予め設定された横断測量の観測条件と、第１測量データに基づき、ＴＳ観測点の水平距離及び鉛直距離を演算するＣＰＵ１２（演算部）を備える。また、記憶装置２４（記憶部）は、ＴＳ観測点の観測結果として、水平距離及び鉛直距離を第１測量データと該第１測量データと関連づけされた観測点名称とともに関連付けして記憶する。この結果、本実施形態によれば、ＴＳ観測点における第１測量データ及び該各測点の水平距離及び鉛直距離も含めて手作業による野帳の記録を必要としない効果を奏する。
【０１００】
（４）本実施形態の測量データ記憶装置１０では、ディスプレイ１８（表示部）は、ポール観測が連続で行われる場合、複数のポール観測点のそれぞれの第２測量データが入力される名称入力欄１２４（入力領域）を備える。また、タッチパネル２０、キーボード２２（第２入力部）は、名称入力欄１２４（入力領域）に、複数のポール観測点のそれぞれの第２測量データを入力する。この結果、本実施形態によれば、ポール観測が連続して行われる場合、複数のポール観測点の第２測量データを入力することができる。
【０１０１】
（５）本実施形態の測量データ記憶装置１０では、横断観測を、トータルステーションＴＳからは遠位の観測点から近位の観測点の順に観測を行う逆順観測モード設定チェック欄６３（逆順観測モード設定部）をディスプレイ１８に表示する。そして、記憶装置２４（記憶部）は、逆順観測モード設定チェック欄６３（逆順観測モード設定部）にて逆順観測モードが設定された場合は、観測順を逆順で、第１測量データと該第１測量データと関連づけされた観測点名称、及び第２測量データと該第２測量データと関連づけされた観測点名称を記憶する。この結果、本実施形態によれば、通常の観測順である、トータルステーションからは近位の観測点から遠位の観測点の順に行う場合だけでなく、逆順で行う場合においても、横断測量において行われるＴＳ観測とポール横断による観測の測量データの記録を容易にできて、手作業による野帳の記録を不要とする効果を奏する。
【０１０２】
なお、本発明の実施形態は前記実施形態に限定されるものではなく、下記のように変更しても良い。
・記録媒体としては、ハードディスク、ＲＯＭ、ＲＡＭ等以外に、例えば、ＤＶＤ−Ｒ／ＤＶＤ−ＲＯＭ／ＤＶＤ−ＲＷ／ＤＶＤ−ＲＡＭ／ブルーレイディスク／ＣＤ−ＲＯＭ／ＣＤ−Ｒ／ＣＤ−ＲＷ、コンパクトフラッシュ（登録商標）、ＳＤ（Ｓｅｃｕｒｅ  Ｄｉｇｉｔａｌ）カード、ミニＳＤカード、マイクロＳＤカード、ｘＤ−ピクチャーカード、Ｓｍａｒｔ  Ｍｅｄｉａ（登録商標）、ＭＥＭＯＲＹ  ＳＴＩＣＫ（登録商標）、ＵＳＢ（Ｕｎｉｖｅｒｓａｌ  Ｓｅｒｉａｌ  Ｂｕｓ）メモリ等を挙げることができる。
【０１０３】
・前記実施形態では、タッチパネル２０のタッチ操作によってＣＰＵ１２に各種信号を入力するようにしているが、マウスによる操作、または、キーボード２２のカーソルキーとエンターキーの操作によって文字、数値の入力をするようにしてもよい。また、キーボード２２の入力に代えて、数値入力のためのテンキーボタンをディスプレイに表示して、このテンキーボタンをタッチ操作して入力するようにしてもよい。また、前記実施形態では、各ボタン等をタッチ操作で操作するようにしたが、マウス等でクリック操作してもよい。
【符号の説明】
【０１０４】
１０…測量データ記憶装置、
１２…ＣＰＵ（中央処理装置：観測点名称関連付部、演算部）、
１４…メインメモリ、１６…作業用メモリ、
１８…ディスプレイ（表示部）、２０…タッチパネル（第２入力部）、
２２…キーボード（第２入力部）、２４…記憶装置（記憶部）、
２６…通信ポート（第１入力部）、３０…メイン画面、
３１…測点（観測点）名領域、３２…地形表示領域、
３３…観測結果リスト表示領域、３４…距離表示領域、
３５…観測条件ボタン、３６…データ操作ボタン、３７…観測履歴ボタン、
Ｋ…鉛直線、Ｋａ，Ｋｂ，Ｋｃ…観測点、
ＭＬ…ミラー、Ｏ…鉛直線、Ｏｔ…黒点、Ｐ１、Ｐ２…基準点、
Ｐｆ…観測点、ＴＳ…トータルステーション。
【図１】
2017020834.tif 000003
【図２】
2017020834.tif 000004
【図３】
2017020834.tif 000005
【図４】
2017020834.tif 000006
【図５】
2017020834.tif 000007
【図６】
2017020834.tif 000008
【図７】
2017020834.tif 000009
【図８】
2017020834.tif 000010
【図９】
2017020834.tif 000011
【図１０】
2017020834.tif 000012
【図１１】
2017020834.tif 000013
【図１２】
2017020834.tif 000014
【図１３】
2017020834.tif 000015
【図１４】
2017020834.tif 000016
【図１５】
2017020834.tif 000017
【図１６】
2017020834.tif 000018
【図１７】
2017020834.tif 000019
【図１８】
2017020834.tif 000020
【図１９】
2017020834.tif 000021
【図２０】
2017020834.tif 000022
【図２１】
2017020834.tif 000023
【図２２】
2017020834.tif 000024
【図２３】
2017020834.tif 000025
【図２４】
2017020834.tif 000026
【図２５】
2017020834.tif 000027
【図２６】
2017020834.tif 000028